Podtech/llm-jp-corpus-v4-ja_patent huggingface dataset:
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
電気手術手順を行ううえでの電気手術用エネルギの少なくとも１つの波形を出力するＲＦ段を有する電気手術用発生器システムであって、
少なくとも１つのプロセッサ上で実行可能な、前記出力電気手術用エネルギの少なくとも１つのパラメータを組み合わせて制御する少なくとも１つの制御モジュールと、
該少なくとも１つの制御モジュールの各々の制御モジュールの構成データを含む構成データを生成し、相当する生成データを、前記各々の制御モジュールに供給して、各種の制御から選択可能な制御のタイプを備えるよう前記各々の制御モジュールを構成する構成コントローラとを備えることを特徴とする電気手術用発生器システム。
【請求項２】
請求項１記載の電気手術用発生器システムであって、更に、
前記出力電気手術用エネルギと、該電気手術用エネルギのアプリケーションとの少なくとも１つに関する電気的特性と物理的特性との少なくとも１つを検出し、該検出に相当するセンサ・データを生成する少なくとも１つのセンサを有するセンサ・モジュールを備えることを特徴とする電気手術用発生器システム。
【請求項３】
請求項２記載の電気手術用発生器システムであって、
前記少なくとも１つのセンサが、電流センサと、位相シフト・センサと、電圧センサと、電力センサと、インピーダンス・センサと、温度センサとから成る群から選択されることを特徴とする電気手術用発生器システム。
【請求項４】
請求項２記載の電気手術用発生器システムであって、
前記少なくとも１つの制御モジュールが、
センサ・データの少なくとも第１の部分集合によって制御信号を発生させる外部ループ・コントローラと、
前記ＲＦ段に供給して、少なくとも、該ＲＦ段によって出力されるエネルギの振幅を制御する設定点制御信号を発生させる内部ループ・コントローラとを備え、
前記設定点制御信号が、少なくとも、前記外部ループ・コントローラによって発生する前記制御信号と、前記センサ・データの第２の部分集合とに基づいて発生することを特徴とする電気手術用発生器システム。
【請求項５】
請求項１記載の電気手術用発生器システムであって、更に、
電気手術器具の操作に直接関係するユーザ動作の少なくとも１つに関する少なくとも１つの特性と、前記手順の場所において検出される物理的特性と電気的特性との少なくとも一方とを検出する少なくとも１つのセンサを有する構成センサ・モジュールを備え、
該構成センサ・モジュールは、前記検出に相当する少なくとも１つの信号を発生させることを特徴とする電気手術用発生器システム。
【請求項６】
請求項２記載の電気手術用発生器システムであって、
更に、受信センサ・データと、手順中に経過した時間量を示す時間信号との何れか一方に応じて前記各々の制御モジュールのうちの少なくとも１つについての更新構成データを生成する高位のＲＦアルゴリズム・モジュールを備えることを特徴とする電気手術用発生器システム。
【請求項７】
請求項４記載の電気手術用発生器システムであって、
前記内部ループ・コントローラに供給される前記構成データは、少なくとも、スカルプティング電流アルゴリズムと、スカルプティング電圧アルゴリズムと、スカルプティング電力アルゴリズムとから選択されるアルゴリズムと、前記設定点制御信号の波形パターンを制御するパルス・パラメータと、所定のインピーダンス値に対してプロットされる所定の利得乗算子値を備える利得曲線と、前記設定点制御信号の最大限度値と、インピーダンス値に対してプロットされる目標値を備える制御曲線と、所定のインピーダンス折点値と、制御アルゴリズム・パラメータとのうちの少なくとも１つを含み、
前記外部ループ・コントローラに供給される前記構成データは、時間値に対してプロットされる目標値を備える目標曲線と、前記外部ループ・コントローラのスルーレートを制限する目標スルーレートと、前記時間値に対して前記目標曲線を調節する時間乗算子と、制御アルゴリズム・パラメータと、前記外部ループ・コントローラによって発生する前記制御信号のしきい範囲値と、前記制御信号をパルシングするパルス・パラメータと、温度アルゴリズムと、温度限度アルゴリズムとインピーダンス・アルゴリズムとのうちの少なくとも１つから選択される外部ループ・アルゴリズムと、外部ループ・アルゴリズム・パラメータと、所定のインピーダンス値に対してプロットされる所定の利得乗算子値を備える利得曲線とのうちの少なくとも１つを含むことを特徴とする電気手術用発生器システム。
【請求項８】
請求項６記載の電気手術用発生器システムであって、
前記高位のＲＦアルゴリズム・モジュールに備えられる前記構成データが、少なくとも１つの手順アルゴリズムを調節するアルゴリズム選択及びアルゴリズム特有データを少なくとも含むことを特徴とする電気手術用発生器システム。
【請求項９】
請求項４記載の電気手術用発生器システムであって、
前記外部ループ・コントローラは、少なくとも、前記手順中の時間経過を示す時間信号と、前記構成データによって備えられる時間値に対する目標値を備える外部ループ目標曲線とに基づいて外部ループ目標値を発生させる外部ループ目標発生器と、
少なくとも、前記外部ループ目標値と前記第１のセンサ・データ部分集合とに基づいて前記制御信号を発生させる制御アルゴリズムを行う外部ループ制御モジュールとを含み、
前記内部ループ・コントローラは、少なくとも、前記第２のセンサ・データ部分集合に基づいた内部ループ目標値と、前記構成データによって備えられるインピーダンス値に対する目標値を備える内部ループ目標曲線との少なくとも一方を発生させる内部ループ目標発生器と、少なくとも、前記内部ループ目標値と前記第２センサ・データ部分集合とに基づいて前記設定点制御信号を発生させる制御アルゴリズムを行う内部ループ制御モジュールとを含むことを特徴とする電気手術用発生器システム。
【請求項１０】
請求項１記載の電気手術用発生器システムであって、更に、
前記構成コントローラから構成データを受信し、前記ＲＦ段によって発生する前記電気手術用エネルギの波形パターンを制御する波形コントローラを備えることを特徴とする電気手術用発生器システム。
【請求項１１】
請求項９記載の電気手術用発生器システムであって、
前記外部ループ目標発生器と、前記外部ループ制御モジュールと、前記内部ループ目標発生器と、前記内部ループ制御モジュールとの各々をバイパスさせるよう構成し得ることを特徴とする電気手術用発生器システム。
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
子宮頚部組織のバイオインピーダンスの測定方法であって、
測定プローブを身体の開口部内に導入すること、ここで該測定プローブは、電極の端部が該プローブの上面から間隔をあけるように配置された複数の前記電極を含み；
子宮頚部組織に対して該測定プローブの上面の位置を変えて、前記電極の各々が前記子宮頚部組織に電気的に接触するようにすること；
前記組織と接触している前記複数電極の特定の電極にわたって電圧と電流を印加して、前記組織を電流が流れ、前記組織のインピーダンスに応答して該電流が分散されるようにすること；
前記電圧と電流を印加している間の、前記組織のインピーダンスに関連する電圧降下を、前記複数電極の特定の電極を用いて測定すること；および
前記電圧測定値に基づいてインピーダンスおよび電圧位相角を計算すること；
のステップを含む、前記方法。
【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
薬物および医薬上許容可能な賦形剤を含んで成る医薬製剤の製造における、コートされた製造容器の使用。
【請求項２】
ｐＭＤＩ用医薬製剤の製造における、請求項１に記載の使用。
【請求項３】
医薬製剤は、吸入用懸濁液である、請求項１または２に記載の使用。
【請求項４】
加圧条件下で製造を実施する、請求項１〜３のいずれかに記載の使用。
【請求項５】
非加圧条件下で製造を実施する、請求項１〜３のいずれかに記載の使用。
【請求項６】
薬物は、フマル酸フォルモテロール二水和物である、請求項１〜５のいずれかに記載の使用。
【請求項７】
容器は、ステンレススチール容器である、請求項１〜６のいずれかに記載の使用。
【請求項８】
コーティングは、ＥＣＴＦＥ、ＰＶＤＦまたはＰＦＡ製である、請求項１〜７のいずれかに記載の使用。
【請求項９】
コーティングは、ＰＦＡ製である、請求項１〜７のいずれかに記載の使用。
【請求項１０】
容器をコートして薬物の付着を減らすことを特徴とする製造容器。
【請求項１１】
コーティングは、ＥＣＴＦＥ、ＰＶＤＦまたはＰＦＡ製である、請求項１０に記載のステンレススチール容器。
【請求項１２】
コーティングは、ＰＦＡ製である、請求項１０に記載の製造容器。
【請求項１３】
コートされたパイプ、バルブおよび付属品を更に含む、請求項１１または１２に記載の製造容器。
【請求項１４】
請求項１に記載の製造容器の使用により得られた医薬製剤を用いることを特徴とする治療方法。
【手続補正２】
【補正対象書類名】明細書
【補正対象項目名】００２０
【補正方法】変更
【補正の内容】
【００２０】
実施例１
【表１】
2006525053.tif 000001
全ての従来のバッチは、コートされていない３０リットルの圧力容器を用いて、いずれかは１２℃で、その他は２０℃で製造されていた。製造時間は通常２日であったが、本実施例のバッチでも同様であった。
【手続補正３】
【補正対象書類名】明細書
【補正対象項目名】００２４
【補正方法】変更
【補正の内容】
【００２４】
結果の分析
バッチ処理を通して様々な点で取ったサンプルのフォルモテロール濃度を表２に示す。
【表２】
2006525053.tif 000002
上の表２は、有効濃度が、進行の間中、適度に一定であることを示す。
いずれかの点でのフォルモテロールの平均濃度を理論濃度（添加重量基準、この場合では０．０１７％ｗ／ｗ）で割り、１００をかけたときのバルク混合物中のフォルモテロール濃度（％）を以下の表３に示す。
【表３】
2006525053.tif 000003
これらの値を図１および２にプロットする。
【手続補正書】
【提出日】平成19年3月26日(2007.3.26)
【手続補正１】
【補正対象書類名】明細書
【補正対象項目名】００４８
【補正方法】変更
【補正の内容】
【００４８】
図３に示すように、装置１２は、発光ダイオード１６，１８の対１４を２つ、及び、フレーム２０を含む。フレーム２０は、発光ダイオード１６，１８の各対１４をそれぞれの眼の表面付近にて支持してその眼の瞳孔に光を投射させるよう、着用者の顔面に装着されるように適合されている。この図に示されている発光ダイオード１６，１８は、図２に示した発光ダイオードと類似のスペクトルパワー密度、及び、約２０度の視角を有する青色タイプ発光源デバイス（例えば、シリコンカーバイド基板上窒化インジウムガリウム（ＩｎＧａＮ  ｏｎ  ＳｉＣ）の発光ダイオード）である。図２に示すように、発光ダイオード１６，１８は、約４７０ｎｍでピーク発光波長を有する。約４７０ｎｍの発光波長が、位相後退、及びメラトニンリズムの前進の両方に関して、人間の体内時計のリタイミングの実行に非常に効果的であることが示されている。
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
アミノグリコシド、天然の高分子、およびポリ陰イオン塩を含み、平均粒子サイズが約1nmから1000nmのナノ粒子からなる組成物であって、
前記アミノグリコシドが、ストレプトマイシン、アミカシン、カナマイシン、ゲンタマイシン、ネオマイシン、ネチルマイシン、スペクチノマイシン及びトブラマイシンからなる群より選ばれた少なくとも１種の成分を含む、組成物。
【請求項２】
前記ポリ陰イオン塩が縮合ポリリン酸である、請求項１に記載の組成物。
【請求項３】
前記高分子がポリ陰イオン塩にイオン的に結合可能である、請求項1に記載の組成物。
【請求項４】
前記高分子がタンパク質または多糖類である、請求項1に記載の組成物。
【請求項５】
前記高分子が窒素原子を含む、または前記高分子がプロトン化している、請求項1に記載の組成物。
【請求項６】
前記高分子の分子量が25,000g/mol以上である、請求項1に記載の組成物。
【請求項７】
前記高分子が、キトサン、デキストラン硫酸、デルマタン硫酸、コンドロイチン硫酸、ケラチン硫酸、ヘパリン硫酸、コラーゲン、アルブミン、セルロース、ゼラチン、エラスチン、及びヒアルロン酸からなる群より選ばれた少なくとも１種の成分を含む、請求項1に記載の組成物。
【請求項８】
前記高分子がキトサンを含み、前記アミノグリコシドがストレプトマイシンを含む、請求項1に記載の組成物。
【請求項９】
経口投与の形態である、請求項1に記載の組成物。
【請求項１０】
治療を必要とするほ乳類（ヒトを除く）に、アミノグリコシド、天然の高分子、およびポリ陰イオン塩を含む組成物を治療に効果的な量投与するステップを有し、
前記組成物は、平均粒子サイズが約1nmから約1000nmのナノ粒子からなり、
前記アミノグリコシドが、ストレプトマイシン、アミカシン、カナマイシン、ゲンタマイシン、ネオマイシン、ネチルマイシン、スペクチノマイシン、及びトブラマイシンからなる群より選ばれた少なくとも１種の成分を含む、ほ乳類（ヒトを除く）の疾病または医学的状態の治療方法。
【請求項１１】
治療面から効果がある量の生物活性化合物(i)、および、縮合ポリリン酸塩とイオン的に結合可能な天然の高分子(1)、または多糖類(2)のいずれか(ii)を含む組成物(a)と、
医薬品として許容できる担体（ｂ）と、
縮合ポリリン酸塩（ｃ）と、を含み、
前記組成物は平均粒子サイズが約1nmから約1000nmのナノ粒子からなる、
ほ乳類の疾病あるいは状態を治療するための医薬製剤。
【請求項１２】
前記平均粒子サイズが約50nmから約500nmである、請求項11に記載の医薬製剤。
【請求項１３】
前記生物活性化合物が、アミノグリコシド、ポリペプチド、タンパク質、インシュリン、ヒト成長ホルモン、テレオフェナメート、プログルメタシン、チアラミド、アパゾーン、ベンズピペリロン、ピペブゾン、ラミフェナゾン、メソトレキセート、イソニアジド、ポリミキシン、バシトラシン、ツベラクチオノマイシン、エスリョマイシン、ペニシラミン、クロロキンリン酸、グルコサミン、水酸化クロロキン、グルカゴン、シクロロフォスファミド、インターフェロンα、インターフェロンβ、インターフェロンγ、ビンクリスチン、及びビンバラスチンからなる群より選ばれた少なくとも１種の成分を含む、請求項11に記載の医薬製剤。
【請求項１４】
前記生物活性化合物がアミノグリコシドを含み、
前記アミノグリコシドが、ストレプトマイシン、アミカシン、カナマイシン、ゲンタマイシン、ネオマイシン、ネチルマイシン、スペクチノマイシン、及びトブラマイシンからなる群より選ばれた少なくとも１種の成分を含む、請求項13に記載の医薬製剤。
【請求項１５】
前記高分子がタンパク質である、請求項11に記載の医薬製剤。
【請求項１６】
前記高分子または前記多糖類がキトサンを含み、前記生物活性化合物がストレプトマイシンを含む、請求項11に記載の医薬製剤。
【請求項１７】
治療を必要とするほ乳類（ヒトを除く）の治療に効果的な量のアミノグリコシドを経口投与するステップを有する、結核の治療方法。
【請求項１８】
前記アミノグリコシドが、ストレプトマイシン、アミカシン、カナマイシン、ゲンタマイシン、ネオマイシン、ネチルマイシン、スペクチノマイシン、及びトブラマイシンからなる群より選ばれた少なくとも１種の成分を含む、請求項17に記載の治療方法。
【請求項１９】
ナノ粒子薬剤組成物を含み、
前記ナノ粒子薬剤組成物は、アミノグリコシドである薬剤(a)と、薬剤 (a)がその中に取り込まれている生分解性高分子のナノ粒子(b)とからなり、
前記アミノグリコシドが、ストレプトマイシン、カナマイシン、ネオマイシン、ゲンタマイシン、アミカシン、ネチルマイシン、スペクチノマイシン、およびトブラマイシンからなる群より選ばれた少なくとも１種の成分を含む、薬剤輸送システム。
【請求項２０】
治療を必要とする個々（ヒトを除く）に、請求項19に記載の薬剤輸送システムを治療に効果的な量投与するステップを有する、アミノグリコシドで治療可能な疾病または状態を治療する方法。
【請求項２１】
前記薬剤輸送システムは経口投与される、請求項20に記載の方法。
【請求項２２】
前記薬剤輸送システムは非経口投与される、請求項21に記載の方法。
【手続補正書】
【提出日】平成19年3月19日(2007.3.19)
【手続補正１】
【補正対象書類名】明細書
【補正対象項目名】００１７
【補正方法】変更
【補正の内容】
【００１７】
本発明で用いる非常に好適な多官能性ルイス塩基化合物および金属錯体類は、以下の式で表される。
【化５】
2006525314.tif 000001
［式中、
Ｘ''''は独立にそれぞれの場合、ハリド、Ｎ，Ｎ−ジ（Ｃ1〜4アルキル）アミド、Ｃ7〜10アラルキル、Ｃ1〜20アルキル、Ｃ5〜20シクロアルキル、または、トリ（Ｃ1〜4）アルキルシリル、トリ（Ｃ1〜4）アルキルシリル置換Ｃ1〜10ヒドロカルビル基であり、または、２つのＸ'''基は一体としてＣ4〜40共役ジエンであり、好適にはそれぞれの場合、Ｘ''''はメチル、ベンジル、または、トリ（メチル）シリルメチルであり、
Ｇa'は水素、Ｃ1〜20アルキルまたはクロロであり、
Ｇbは独立にそれぞれの場合、水素、Ｃ1〜20アルキル、アリールもしくはアラルキルであり、または、２つの隣接Ｇb基は一緒に結合して環を形成し、
Ｇcは独立にそれぞれの場合、水素、ハロ、Ｃ1〜20アルキル、アリール、もしくはアラルキルであり、または、２つの隣接Ｇc基は一緒に結合して環を形成し、ｃは１〜５であり、ｃ'は１〜４であり、そして、
Ｇdはイソプロピルまたはシクロヘキシルである。］。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
ポリマー材料中に分散した活性薬剤を含んでなる活性薬剤構成要素であって、近位の皮膚接触面および遠位表面、および前記近位と遠位表面との間を通過する少なくとも１つの溝を有している前記活性薬剤構成要素と、
前記活性薬剤に対する拮抗薬を含んでなる逆作用薬剤構成要素と、
前記活性薬剤構成要素の前記遠位表面と前記逆作用薬剤構成要素との間に挿入されるバリアと
を含んでなる経皮的剤形であって、
前記バリアが水、エタノール、エーテル、およびそれらの混合物よりなる群から選択される溶剤に対して浸透性であり、さらに前記バリアが前記溶剤不在下において活性薬剤および逆作用薬剤の拡散に対して不浸透性である経皮的剤形。
【請求項２】
前記バリアが、水、エタノール、エーテル、およびそれらの混合物よりなる群から選択される溶剤に可溶性である、請求項１に記載の経皮的剤形。
【請求項３】
前記剤形が、前記活性薬剤構成要素の前記近位と遠位表面との間を通過する複数の溝を含み、前記溝が水、エタノール、エーテル、およびそれらの混合物よりなる群から選択される溶剤に可溶性の材料を含んでなる、請求項１に記載の経皮的剤形。
【請求項４】
前記剤形が、前記活性薬剤構成要素の前記近位と遠位表面との間を通過する複数の溝を含み、前記溝が水、エタノール、エーテル、およびそれらの混合物よりなる群から選択される溶剤に可溶性のビーズを含んでなる、請求項１に記載の経皮的剤形。
【請求項５】
ポリマー材料および前記ポリマー材料中に分散した活性薬剤を含んでなり、皮膚接触面を有する活性薬剤構成要素と、
前記活性薬剤に対する拮抗薬を含んでなる逆作用薬剤構成要素と、
活性薬剤および逆作用薬剤の拡散に対して不浸透性である不連続バリアと
を含んでなる、経皮的剤形であって、
前記バリアが前記活性薬剤構成要素と前記逆作用薬剤構成要素との間に挿入され、
前記剤形が前記皮膚接触面と前記逆作用薬剤構成要素との間を通過する少なくとも１つの溝を含んでなる、経皮的剤形。
【請求項６】
前記溝が空気溝を含んでなる、請求項１又は５に記載の経皮的剤形。
【請求項７】
前記活性薬剤がフェンタニルである、請求項１又は５に記載の経皮的剤形。
【請求項８】
前記バリアが開口部を含んでなるフィルムを含み、前記バリア内の開口部が前記活性薬剤構成要素中の開口部と整列している、請求項５に記載の経皮的剤形。
【請求項９】
ａ）請求項１又は５に記載の経皮的剤形を提供するステップと、
ｂ）前記剤形を所望の治療結果を達成するのに十分な期間、ヒト身体外部に被着するステップと
を含んでなる、濫用抵抗性剤形からの薬剤の経皮的送達の方法。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
ポリマー材料および活性薬剤を含んでなる活性薬剤構成要素、
オーバーレイバッキング、
濫用可能原薬に対する拮抗薬を含んでなる逆作用薬剤構成要素、
および前記逆作用薬剤構成要素と隣接し隣り合う多孔性材料
を含んでなる経皮的剤形であって、
前記活性薬剤構成要素が近位の皮膚接触面および前記近位表面に対向する遠位表面を有し、
前記逆作用薬剤構成要素が前記活性薬剤構成要素の前記遠位表面と前記オーバーレイバッキングとの間に挿入され、
前記多孔性材料が前記活性薬剤構成要素の前記近位表面と流体連通する、経皮的剤形。
【請求項２】
前記活性薬剤構成要素と前記逆作用薬剤構成要素との間に挿入されるバリアをさらに含んでなる、請求項１に記載の経皮的剤形。
【請求項３】
剥離ライナー、
オーバーレイバッキング、
前記剥離ライナーと前記オーバーレイバッキングとの間に挿入される活性薬剤構成要素、
前記活性薬剤構成要素と前記オーバーレイバッキングとの間に挿入されるバリア、
前記活性薬剤に対する拮抗薬を含んでなる逆作用薬剤構成要素、および
前記逆作用薬剤構成要素と隣接し隣り合う多孔性材料
を含んでなる経皮的剤形であって、
前記活性薬剤が前記剥離ライナーと拡散連通し、
前記逆作用薬剤構成要素が前記バリアと前記オーバーレイバッキングとの間に挿入され、
前記多孔性材料が前記剥離ライナーと流体連通する、
経皮的剤形。
【請求項４】
前記逆作用薬剤構成要素がマイクロ多孔性フィルムを含んでなる、請求項２又は３に記載の経皮的剤形。
【請求項５】
前記活性薬剤がフェンタニルである、請求項１又は３に記載の経皮的剤形。
【請求項６】
ａ）請求項１又は３に記載の経皮的剤形を提供するステップと、
ｂ）前記剤形を所望の治療結果を達成するのに十分な期間、患者の皮膚または粘膜の一部に被着するステップと
を含んでなる、不正使用防止機能付き剤形からの活性薬剤の経皮的送達方法。
【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
下記化学式で表される化合物またはその薬剤上許容される塩。
【化１】
2006525329.tif 000001
式中、
nは、0、1、2、3、または4；
R1は、H、C1-C6アルキル、フェニル(C1-C6)アルキル、またはC3-C6アルケニル；
R2はフェニル、フェニル(C1-C4)アルキル、C1-C6アルキル、-(C1-C4)アルキル-C(O)NH2、-(C1-C4)アルキル-C(O)NH(C1-C4)アルキル、-(C1-C4)アルキル-C(O)N(C1-C4)アルキル(C1-C4)アルキル、-(C1-C4)アルキル-S(O)b-(C1-C4)アルキル、(C1-C4)ヒドロキシアルキル、-(C1-C4)アルキル-ヘテロシクロアルキルであって、該ヘテロシクロアルキル基は任意にフェニル環に縮合し、および該ヘテロシクロアルキル部分、該フェニル部分、あるいはその両方が、独立してハロゲン、C1-C4アルキル、C1-C4アルコキシ、-SO2-(C1-C4)アルキル、ハロアルキル、またはハロアルコキシである合計1、2、3、または4基で任意に置換され；
ここで、bは0、1、または2であり；
R20、R21、R22およびR23は独立してH、アリールアルコキシ、アリールアルキル、ハロゲン、アルキル、ハロアルキル、OH、アルコキシ、NO2、NH2、NH(C1-C6)アルキル、N(C1-C6アルキル)(C1-C6アルキル)、NHアリール、NHC(O)-(C1-C4アルキル)-アリール、N(C1-C4アルキル)C(O)-(C1-C4)アルキル-アリール、N(C1-C4)アルキル-アリール、-NHSO2-アリール、または -N(C1-C4アルキル)SO2アリールであって、上記の該アリール基の各々は、独立してC1-C6アルキル、C1-C6アルコキシ、ハロゲン、OH、NO2、ハロアルキル、ハロアルコキシである1、2、3または4基で任意に置換され、；
Lは -SO2NH-、SO2N(C1-C4)アルキル-、-NHSO2-、-N(C1-C4アルキル) SO2-、O、-C(O)-NH-、-C(O)N(C1-C4)アルキル-、-SO2-、-C(O)-(C1-C4)アルキル-、-(C1-C4)アルキル-C(O)-、-NH-、-(C1-C6アルキル)-O-N=、または -N(C1-C4アルキル)- であって、該アルキル基はフェニルで任意に置換され、該フェニルは、独立してC1-C6アルキル、C1-C6アルコキシ、ハロゲン、OH、NO2、ハロアルキル、またはハロアルコキシである1、2、3、または4基で任意に置換され、；
L3は結合の手、置換基なし、-(C1-C4)アルキル-O-、-O-(C1-C4)アルキル、-(C1-C4)アルキル-、-C(O)-、-C(O)NH-、または -NHC(O)- であり；
A環はフェニル、ナフチルおよびフルオレニル、またはヘテロアリールからなる群から選択されるアリールであり、その各々は独立してハロゲン、C1-C4アルキル、C1-C4アルコキシ、C1-C4ハロアルキル、C1-C4ハロアルコキシ、NO2、NH2、NH(C1-C6)アルキル、N(C1-C6)アルキル(C1-C6)アルキルである1、2または3基で任意に置換され；
QはH、アリール、ヘテロアリール、-ヘテロアリール-アルキル、-アリール-ヘテロアリール、アリール-C(O)-アリール、アリール-(C1-C4アルキル)-アリール、ヘテロアリール-(C1-C4アルキル)-アリール、-ヘテロアリール-アリールであって、該アリール基はフェニル、ナフチル、またはフルオレニルであり、その各々が、独立してC1-C6アルキル、C1-C4アルコキシカルボニル、C1-C6アルコキシ、ハロゲン、ハロアルキル、ハロアルコキシ、NR6R7、またはフェニルである1、2、3、または4基で任意に置換され； ここで、
R6およびR7は独立してH、C1-C6アルキル、アリール(C1-C6)アルキル、アルカノイル、アリールアルカノイル、アルコキシカルボニル、アリールアルコキシカルボニル、ヘテロアリールカルボニル、ヘテロアリール、ヘテロシクロアルキルカルボニル、-C(O)NH2、-C(O)NH(C1-C6)アルキル、-C(O)N(C1-C6)アルキル(C1-C6)アルキル、または -SO2-アリールであって、該環状基は、独立してハロゲン、C1-C4アルキル、C1-C4アルコキシ、NO2、OH、NH2、NH(C1-C6)アルキル、N(C1-C6)アルキル(C1-C6)アルキル、ハロアルキルまたはハロアルコキシである1、2、3、または4基で任意に置換される。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
心循環器疾患およびその再発治療および／または予防を必要とする患者に投与するための医薬組成物であって、式Ｉの化合物
【化１】
2006525328.tif 000001
または医薬的に許容可能な塩、溶媒和物、活性代謝物、プロドラッグ、ラセミ化合物またはその鏡像異性体を含有し、ＰＣＩプロシージャの実施と組み合わせて投与される医薬組成物。
【請求項２】
心循環器疾患およびその再発治療および／または予防を必要とする患者に投与するための医薬組成物であって、式Ｉの化合物
【化２】
2006525328.tif 000002
または医薬的に許容可能な塩、溶媒和物、活性代謝物、プロドラッグ、ラセミ化合物またはその鏡像異性体を含有し、アスピリンと併用して投与され、ＰＣＩプロシージャの実施と組み合わせて投与される、医薬組成物。
【請求項３】
心循環器疾患およびその再発治療および／または予防を必要とする患者に投与するための医薬組成物であって、式Ｉの化合物
【化３】
2006525328.tif 000003
または医薬的に許容可能な塩、溶媒和物、活性代謝物、プロドラッグ、ラセミ化合物またはその鏡像異性体を含有し、該医薬組成物は
ａ）場合によりアスピリンと併用して投与され、次いで
ｂ）ＰＣＩプロシージャを実施した後、さらに
ｃ）場合によりアスピリンと併用して投与される、
医薬組成物。
【請求項４】
ａ）ＰＣＩプロシージャ実施の約２日から３０日前に、場合によりアスピリンまたは他の心筋保護剤と併用して投与され、次いで
ｂ）ＰＣＩプロシージャを実施した後、さらに
ｃ）ＰＣＩプロシージャ実施の約０日から３６５日後に、場合によりアスピリンまたは他の心筋保護剤と併用して投与される、
請求項１、２または３に記載の医薬組成物。
【請求項５】
式Ｉの化合物が、２−アセトキシ−５−（α−サイクロプロピルカルボニル−２−フルオロベンジル）−４，５，６，７−テトラハイドロチエノ［３，２−ｃ］ピリジン塩酸付加塩、またはその鏡像異性体である、請求項１、２または３に記載の医薬組成物。
【請求項６】
心循環器疾患が、冠動脈閉塞症、再狭窄、急性冠症候群、高リスク血管病、鬱血性心不全、交互脈、心室瘤、壁性動脈瘤、心筋梗塞、心停止、心房細動を含む不整脈、心臓性浮腫、心臓性呼吸困難、心臓麻痺、頻脈、心喀血、心不全、心雑音、心原性失神、および心タンポナーデからなる群から選択される、心循環器疾患の治療および／または予防のための、請求項１、２または３に記載の医薬組成物。
【請求項７】
心循環器疾患が急性冠症候群（ＡＣＳ）、脳血管障害（ＣＶＡ）および高リスク血管病（ＨＲＶＤ）からなるグループから選択される、心循環器疾患の治療および/または予防のための、請求項１、２または３に記載の医薬組成物。
【請求項８】
心循環器疾患の治療、予防または改善のための、式Ｉの化合物
【化４】
2006525328.tif 000004
または医薬的に許容可能な塩、溶媒和物、活性代謝物、プロドラッグ、ラセミ化合物またはその鏡像異性体でコーティングされた、またはそれを含浸したデバイス。
【請求項９】
ステントである請求項８記載のデバイス。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
１リッターあたり２５０〜２４００ミリモルのL-乳酸またはL-乳酸塩、及び１リッターあたり２〜１０ミリモルのカリウムを含む、脳浮腫の治療用医薬組成物であって、ここで、上記脳浮腫が外傷性または非外傷性脳損傷によって引き起こされる、前記医薬組成物。
【請求項２】
１リッターあたり２５０〜２４００ミリモルのL-乳酸またはL-乳酸塩、及び１リッターあたり２〜１０ミリモルのカリウムを含む、外傷性脳損傷の治療用医薬組成物であって、ここで、上記外傷性脳損傷が閉鎖性または開放性外傷である、前記医薬組成物。
【請求項３】
１リッターあたり２５０〜２４００ミリモルのL-乳酸またはL-乳酸塩、及び１リッターあたり２〜１０ミリモルのカリウムを含む、非外傷性脳損傷の治療用医薬組成物であって、ここで、上記非外傷性脳損傷が脳卒中または寒冷病変である、前記医薬組成物。
【請求項４】
１リッターあたり２５０〜２４００ミリモルのL-乳酸またはL-乳酸塩、及び１リッターあたり２〜１０ミリモルのカリウムを含む、患者の術後治療用医薬組成物。
【請求項５】
前記術後治療が、冠動脈バイパス移植（CABG）を受けた患者の治療である、請求項４に記載の医薬組成物。
【請求項６】
前記外傷性脳損傷が、閉鎖性または開放性頭部外傷である、請求項１に記載の医薬組成物。
【請求項７】
前記外傷性または非外傷性脳損傷によって引き起こされた、上昇した頭蓋内圧が低下させられる、請求項１、２または３に記載の医薬組成物。
【請求項８】
前記非外傷性脳損傷が脳卒中または寒冷病変である、請求項１または４に記載の医薬組成物。
【請求項９】
乳酸または乳酸塩の前記濃度が、１リッターあたり４００〜１５００ミリモルの範囲にある、請求項１〜８のいずれか１項に記載の医薬組成物。
【請求項１０】
乳酸または乳酸塩の前記濃度が、１リッターあたり５００〜１５００ミリモルの範囲にある、請求項９に記載の医薬組成物。
【請求項１１】
乳酸または乳酸塩の前記濃度が、１リッターあたり８００〜１２００ミリモルの範囲にある、請求項１０に記載の医薬組成物。
【請求項１２】
乳酸または乳酸塩の前記濃度が１リッターあたり１０００ミリモルである、請求項１１に記載の医薬組成物。
【請求項１３】
ナトリウム（Na）が、前記乳酸塩の対イオンとして使用される、請求項１〜１２のいずれか１項に記載の医薬組成物。
【請求項１４】
さらに、１リッターあたり２．５〜６ミリモルの濃度のカリウムを含む、請求項１〜１３のいずれか１項に記載の医薬組成物。
【請求項１５】
さらに、１リッターあたり２〜５ミリモルのカルシウムを含む、請求項１〜１４のいずれか１項に記載の医薬組成物。
【請求項１６】
カルシウムの前記濃度が、1リッターあたり２．５〜４ミリモルの範囲にある、請求項１〜１５のいずれか1項に記載の組成物。
【請求項１７】
水溶液である、請求項１〜１６のいずれか１項に記載の医薬組成物。
【請求項１８】
以下の：
1リッターあたり１０００ミリモルの乳酸塩、
１リッターあたり９．４ミリモルの塩素（Cl）、
１リッターあたり４ミリモルのカリウム（K）、
１リッターあたり２．７ミリモルのカルシウム（Ca）、及び
１リッターあたり１０００ミリモルのナトリウム（Na）
を含む、請求項１〜１７のいずれか１項に記載の医薬組成物。
【請求項１９】
以下の：
1リッターあたり１０００ミリモルの乳酸塩、
１リッターあたり８．９ミリモルの塩素（Cl）、
１リッターあたり３．５ミリモルのカリウム（K）、
１リッターあたり２．７ミリモルのカルシウム（Ca）、及び
１リッターあたり１０００ミリモルのナトリウム（Na）
を含む、請求項１〜１７のいずれか１項に記載の医薬組成物。
【請求項２０】
以下の：
1リッターあたり５００ミリモルの乳酸塩、
１リッターあたり９．４ミリモルの塩素（Cl）、
１リッターあたり４ミリモルのカリウム（K）、
１リッターあたり２．７ミリモルのカルシウム（Ca）、及び
１リッターあたり５００ミリモルのナトリウム（Na）
を含む、請求項１〜１７のいずれか１項に記載の医薬組成物。
【請求項２１】
以下の：
1リッターあたり５００ミリモルの乳酸塩、
１リッターあたり８．９ミリモルの塩素（Cl）、
１リッターあたり３．５ミリモルのカリウム（K）、
１リッターあたり２．７ミリモルのカルシウム（Ca）、及び
１リッターあたり５００ミリモルのナトリウム（Na）
を含む、請求項１〜１７のいずれか１項に記載の医薬組成物。
【請求項２２】
さらに、炭化水素化合物、ゼラチン、血清タンパク質及びそれらの混合物から成る群から選ばれる浸透圧調節剤を含む、請求項１〜２１のいずれか１項に記載の医薬組成物。
【請求項２３】
前記炭化水素化合物が、デキストロース、ポリデキストロース、ヒドロキシエチルスターチ、ソルビトール、キシリトール、またはそれらの混合物である、請求項２２に記載の医薬組成物。
【手続補正書】
【提出日】平成19年4月19日(2007.4.19)
【手続補正１】
【補正対象書類名】特許請求の範囲
【補正対象項目名】請求項１
【補正方法】変更
【補正の内容】
【請求項１】
第１の開始剤の安全に使用できる量の９０モル％以下が使用され、そして重合温度で０．０００１時間〜１．０時間の半減期を持ちかつ当該第１の開始剤よりも温度安定性が低い第２の開始剤が、単量体の少なくとも１０重量％が重合される少なくとも期間に最大冷却能力の少なくとも９２％が使用されるような量で、かつ好ましくは変化する速度で、重合の開始後に単量体の少なくとも１０重量％が重合されるまでに少なくとも部分的に配量される、１以上の単量体を重合する方法。
【手続補正２】
【補正対象書類名】明細書
【補正対象項目名】０００７
【補正方法】変更
【補正の内容】
【０００７】該新規な方法は、重合開始時にすべての開始剤が加えられてその最大速度で運転される方法と比較して、重合開始時に当該開始剤（または開始剤の混合物）の９０モル％までだけが加えられ、そして開始時に加えられる第１の開始剤よりも温度安定性が低くかつ重合温度で０．０００１時間〜１．０時間の半減期を持つ第２の開始剤が、単量体の少なくとも１０重量％（w／w％）、好ましくは少なくとも２０重量％、より好ましくは少なくとも３０重量％、もっとも好ましくは少なくとも４０重量％が重合される少なくとも期間に最大冷却能力の少なくとも９２、好ましくは少なくとも９６、より好ましくは少なくとも９８％が使用されるような量で、かつ好ましくは変化する速度で、重合の開始後に単量体の少なくとも１０重量％が重合されるまでに重合する混合物に配量されることを特徴とする。好ましくは第２の開始剤は、単量体の少なくとも１０重量％、好ましくは少なくとも２０重量％、より好ましくは少なくとも３０重量％、もっとも好ましくは少なくとも４０重量％が重合する期間に最大冷却能力が使用され、そうすることによって、重合する混合物の実際の温度が所望の温度プラスまたはマイナス０．２℃に保たれるような様式で配量される。何故ならば、最大冷却能力がより多く使用されていればいるほど、重合方法はより効率的であるからである。第１の開始剤の使用と連携した第２の開始剤の配量は、先例のないｉ）過酸化物の配量速度を調節することによる重合速度および関連した重合熱の発生（および、したがって重合温度も）の正確な制御、ｉｉ）反応器の空時収率、およびｉｉｉ）非常に経済的な開始剤の使用を許す。
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
ポリスルフィドをポリエポキシドと反応させることによってプレポリマーを製造する方法であって、
20〜100℃の温度で、触媒としての第四アンモニウム化合物の存在下で、ポリエポキシドを、少なくとも二つのメルカプト基を有するポリスルフィドと反応させることによる、
ことを特徴とする方法。
【請求項２】
式
【化１】
2006525390.tif 000001
好ましくは、式
【化２】
2006525390.tif 000002
を有し、n=2〜4であり、R''およびR'''が脂肪族、芳香族、または脂環式基本構造を有する有機ラジカルである化合物をポリエポキシドとして使用することを特徴とする請求項１に記載の方法。
【請求項３】
有機ラジカルが、下記のラジカル
【化３】
2006525390.tif 000003
から成るグループから選択され、ここで、m=2〜10、o＝1〜50、p＝1〜50であることを特徴とする請求項２に記載の方法。
【請求項４】
使用されるエポキシドが未改質エポキシ樹脂およびノボラックであることを特徴とする請求項１に記載の方法。
【請求項５】
エポキシドの混合物が使用されることを特徴とする請求項１から４の中のいずれか１つに記載の方法。
【請求項６】
式
【化４】
2006525390.tif 000004
のポリスルフィドが使用され、ここで、q=4〜30、r=0〜3であることを特徴とする請求項１から５の中のいずれか１つに記載の方法。
【請求項７】
反応が1 molのポリスルフィドに対して2±0.2 molのポリエポキシドのモル比で実施されることを特徴とする請求項１から６の中のいずれか１つに記載の方法。
【請求項８】
反応が化学量論比1:2で実施されることを特徴とする請求項７に記載の方法。
【請求項９】
反応が2 molのポリスルフィドに対して1±0.1 molのポリエポキシドのモル比で実施されることを特徴とする請求項１から６の中のいずれか１つに記載の方法。
【請求項１０】
反応が化学量論比2:1で実施されることを特徴とする請求項９に記載の方法。
【請求項１１】
プレポリマーの官能価を決定する出発成分が化学量論的に過剰に使用されることを特徴とする請求項１から７および９の中のいずれか１つに記載の方法。
【請求項１２】
2〜7倍の化学量論的に過剰な量が使用されることを特徴とする請求項１１に記載の方法。
【請求項１３】
ポリスルフィドが最初に投入され、ポリエポキシドが計量しながら供給されることを特徴とする請求項１から１２の中のいずれか１つに記載の方法。
【請求項１４】
ポリエポキシドが最初に投入され、ポリスルフィドが計量しながら供給されることを特徴とする請求項１から１２の中のいずれか１つに記載の方法。
【請求項１５】
計量供給がすでに使用触媒を収容した容器内になされることを特徴とする請求項１３または１４に記載の方法。
【請求項１６】
触媒が反応進行と同時に容器内に計量しながら供給されることを特徴とする請求項１３または１４に記載の方法。
【請求項１７】
使用される触媒がメチルトリオクチルアンモニウムクロリドであることを特徴とする請求項１から１６の中のいずれか１つに記載の方法。
【請求項１８】
使用されるポリエポキシドがビスフェノールAジグリシジルエーテルまたはビスフェノールFジグリシジルエーテルであることを特徴とする請求項１から１７の中のいずれか１つに記載の方法。
【請求項１９】
二つのポリエポキシドの混合物が使用されることを特徴とする請求項１８に記載の方法。
【請求項２０】
反応が、真空中好ましくは10〜100 mbarの圧力下で実施されることを特徴とする請求項１から１９の中のいずれか１つに記載の方法。
【請求項２１】
反応が撹拌しながら実施されることを特徴とする請求項１から２０の中のいずれか１つに記載の方法。
【請求項２２】
反応が40〜100℃の温度で実施されることを特徴とする請求項１から２１の中のいずれか１つに記載の方法。
【請求項２３】
反応が50〜70℃の温度で実施されることを特徴とする請求項２２に記載の方法。
【請求項２４】
請求項１から２３の中のいずれか１つに記載の方法によって製造されることを特徴とする貯蔵安定性のあるプレポリマー。
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
つぎの化学式の化合物
【化１】
2006525365.tif 000001
または製薬上受容できる塩、そこでは
R1はH、C1-C6アルキル、フェニル（C1-C6）アルキルまたはC2-C6アルケニルであり、
L2は化学結合または -C(O)NR10-、-N(R10)C(O)-、-(C1-C4)アルキル-、N(R10)C(O)-、-C(O)N(R10)-(C1-C4)アルキル-、-N(R10)C(O)-(C1-C4)アルキル-、-(C1-C4)アルキル-C(O)N(R10)-、-O-(C1-C6)アルキル-、または -(C1-C6)アルキル-O- であり、
L3は不在、化学結合、-(C1-C4)アルキル-O-、-O-(C1-C4)アルキル、-(C1-C4)アルキル-、-アルケニル-、-フェニル- であり、
L5は化学結合または -O-(C1-C6)アルキル-、-(C1-C6)アルキル-O-、-C(O)N(R9)-(C1-C4)アルキル-、-N(R9)C(O)-(C1-C4)アルキル-、-(C1-C4)アルキル-C(O)N(R9)-(C1-C4)アルキル-、-(C1-C4)アルキル-N(R9)C(O)-(C1-C4)アルキル-、-N(R9)-(C1-C6)アルキル-、-N(R9)-(C1-C6)アルキル- であり、そこでは、-(C1-C6)-アルキルはフェニル、-(C1-C4)アルキル-N(R9)-(C1-C4)アルキル-、SO2(R9)-、SO2N(R9)-(C1-C4)アルキル-、-N(R9)SO2-(C1-C4)アルキル-、-N(R9)SO2-、-(C1-C4)アルキル-、-N(R9)C(O)、-C(O)-(C1-C4)アルキル-、-S-(C1-C4)アルキル-または -(C1-C4)アルキル-S-(C1-C4)アルキル-と交換可能であり、そこでは
R9とR10は独立してH、C1-C6アルキル、C1-C6アルコキシカルボニル、-SO2-アリル、ヘテロアリルアルキル、アリルアルキルであり、そこではアリル基またはヘテロアリル基は独立してC1-C4アルキル、C1-C4アルコキシ、ハロゲン、OH、NO2、NH2、NH(C1-C6)アルキル、N(C1-C6)アルキル(C1-C6)アルキル、ハロアルキル又はハロアルコキシである1、2、3または4基と交換可能である、
R20、R21、R22およびR23は独立してH、アリルアルコキシ、アリルアルキル、ハロゲン、アルキル、OH、アルコキシ、NO2、NH2、CN、NH(C1-C6)アルキル、N(C1-C6)アルキル(C1-C6)アルキル、NH-アリル、NHC(O)-(C1-C4 )アルキル-アリル、N(C1-C4)アルキル)C(O)-(C1-C4)アルキル-アリル、N(C1-C4)アルキル-アリル、-NHSO2-アリル、-N(C1-C4アルキル)SO2アリルであり、そこではアリル基は独立してC1-C6アルキル、C1-C6アルコキシ、ハロゲン、OH、NO2、ハロアルキルまたはハロアルコキシである1、2、3、4または5基と交換可能である、
A環はアリル、ヘテロアリル、ヘテロシクロアルキルであり、いずれも独立してハロゲン、C1-C6アルキル、C1-C6アルコキシ、C1-C4ハロアルキル、C1-C4ハロアルコキシ、NO2、NH2、NH(C1-C6)アルキル、N(C1-C6)アルキル(C1-C6)アルキルである1、2または3基と交換可能である、
QはH、アリル、-アリルカルボニル-アリル、-アリル-O-アリル、-アリル-アルキル-アリル、-アリル-ヘテロアリル、-アリル-ヘテロシクロアルキル、-ヘテロアリル、-ヘテロアリル-アルキル-アリル、または -ヘテロシクロアルキルであり、そこでは上記の環状基は独立してアルコキシカルボニル、C1-C6アルキル、C1-C6アルコキシ、ハロゲン、ハロアルキル、ハロアルコキシ、NR6R7、フェニル、フェニル-(C1-C6)アルキル-、またはフェニロキシである1、2、3、4または5基と交換可能である、
R6とR7は独立してH、C1-C6アルキル、アリル(C1-C6)アルキル、C2-C6アルカノイル、アリルC2-C6アルカノイル、C1-C6アルコキシカルボニル、アリルC1-C6アルコキシカルボニル、へテロアリルカルボニル、へテロアリル、へテロシクロアルキルカルボニル、-C(O)NH2、-C(O)NH(C1-C6)アルキル、-C(O)N(C1-C6)アルキル(C1-C6)アルキル、または-SO2-アリルであり、そこでは環状基は独立してハロゲン、C1-C4アルキル、C1-C4アルコキシ、NO2、OH、NH2、NH(C1-C6)アルキル、N(C1-C6)アルキル(C1-C6)アルキル、ハロアルキルまたはハロアルコキシである1、2または3基と交換可能である、
そして
Zは不在、H、-NHC(O)アリル、-N(C1-C4アルキル)C(O)アリルまたはアリル（フェニル）であり、そこではアリル基は独立してC1-C6アルキル、C1-C6アルコキシ、ハロゲン、ハロアルキル、ハロアルコキシまたはNO2である1、2、3、4または5基と交換可能である、あるいは
Zは -NHC(O)-(C1-C4)アルキル-(C3-C7)シクロアルキル、-N(C1-C4)アルキルC(O)-(C1-C4)アルキル-(C3-C7)シクロアルキルである。
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
1. 化合物の式：
【化１】
2006525366.tif 000001
或は製薬的に容認可能な塩類、それについては、以下にある、
Rl は Hで, C1-C6 アルキル, フェニール (C1-C6) アルキル, 或はC3-C6 アルケニル; 
L は、結合基で,-SO2-,-C (O)-,-O-(C1-C6) アルキル-,-(C1-C6) アルキル-O-, -C(O)-(C1-C6)アルキル-, -(C1-C6) アルキル-C (O)-,-O-,-S-,-SO-, -SO2-, 或は - (C1-C4) アルキル-, 
L2 は結合基で, -NR8-, -O-, -S-, -SO-, -SO2-, -(C1-C4)アルキル-, -NR8C (O) -, 或は-C (O) NR8-;
L3 は結合基で, -(C1-C4)アルキル-O-, -O-(C1-C4)アルキル, -(C1-C4) アルキル-, (C2-C6アルケニル, 或は C (O) ; 
R2 は H, ハロゲン, アリールアルコキシ, アリール, アリールアルキル, アルコキシカルボニル, C1-C6 アルキルで、これらは任意で、フェニールと置換し, C1-C6 アルコキシは任意でフェニール, -(C1-C4) アルキル- C (O) NH2,- (C1-C4) アルキル-C (O) NH (C1-C4) アルキル,- (C1-C4) アルキル- C (O) N (C1-C4) アルキル (C1-C4) アルキル,- (C1-C4) アルキル-S (O) b- (C1-C4) アルキル, -SO2-アリール, (C1-C4) ヒドロオキシアルキル,-(C1-C4) アルキル- ヘテロシクリアルキル, C1-C4 ハロアルキル, C1-C4 ハロアルコキシ, 或は OHと置換する、
但し 各へテロシクロアルキルは、任意で1,2,3, 或は 4 基全体で置換し、この基は、ハロゲン, C1-C4アルキル, C1-C4アルコキシ, 或は-SO2-(C1-C4) アルキルで単独である、
但し 各R2内の各アリール基は、任意で1, 2,3, 4, 或は 5 基で置換し、これらの基はアルキル, アルコキシ, ハロゲン, ハロアルキル, ハロアルコキシ, 或は NO2で単独である;
但し b は 0,1, 或は 2である、
各R6 と R7は、H, C1-C6 アルキル, アリール (C1- C6) アルキル, アルカノイル, アリールアルカノイル, アルコキシカルボニル, アリールアルコキシカルボニル, ヘテロアリールカルボニル, ヘテロアリール, ヘテロチクロアルキルカルボニル, -C (O) NH2,-C (O) NH (C1- C6) アルキル,-C (O) N (C1-C6) アルキル (C1-C6) アルキル, 或は-SO2- アリールである、但し 環基は、任意で1,2, 3, 或は 4 基と置換し、その基は、ハロゲン、 C1-C4 アルキル, C1-C4 アルコキシ, NO2, OH, NH2, NH (C1-C6) アルキル, N (C1-C6) アルキル (C1-C6) アルキル, ハロアルキル 或はハロアルコキシで単独である、
各発生でR8は、H 或は C1-C6 アルキルである、
R20, R21, R22, と R23は、H, アリールアルコキシ, アリールアルキル, ハロゲン, アルキル, OH, アルコキシ, NO2, NHz, NH (C1-C6) アルキル, N (C1-C6) アルキル (C1-C6) アルキル, NH-アリール, NHC (O)-(C1-C4) アルキル-アリール, N (C1-C4 アルキル) C (O)-(C1-C4) アルキル-アリール, N (C1-C4) アルキル-アリール, -NHSO2-アリール, -N (C1- C4aアルキル) SO2アリールから独立して選ばれる、但しアリール 基は、任意で1,2,3, 或は 4 基と置換し、C1-C6アルキル, C1-C6アルコキシ, ハロゲン, OH, NO2, ハロアルキル, ハロアルコキシで単独である、
A環基はアリール、ヘテロアリール、或はヘテロサイクロアルキルで、これらのそれぞれは任意で1,2, 或は3 基と置換し、この基はハロゲン, C1-C6 アルキル, C1-C4 アルコキシ, ハロアルキル, ハロアルコキシ, NO2, NH2, NH (C1-C6) アルキル, 或は N (C1-C6) アルキル (C1-C6)アルキルで単独である、
B 環基はへトロサイクルアルキル、或はヘテロアリール、但し分別に任意で1,2,3, 或は4 基に置換し、この基はアルキル, アルコキシ, アリールアルキル, アリールアルコキシ, ハロゲン, アルコキシカルボニル, アリール, 或は OHで単独である、
Q は H, アリール,-アリール-カルボニル-アリール,-アリール-アルキル-アリール,-アリール- アルキル-ヘテロアリール, -アリール-ヘテロアリール,-ヘテロアリール-アリール,- アリール-ヘテロサイクロアルキル, ヘテロアリール, -ヘテロアリール-アルキル- アリール, 或は-ヘテロサイクロアルキルである、但し前述の環基は、任意に1,2,3,4, 或は5 基に置換し、その基はアルコキシカルボンニル、C1-C6 アルキル, C1-C6 アルコキシ,ハロゲン, ハロアルキル, ハロアルコキシ, NR6R7,或は フェニールで単独である；
Y は、結合基で, -O-(C1-C6 アルキル)-は、任意でフェニール,-NHC (O)- (C1-C4) アルキル-,-N (C1-C4) アルキルC (O)- (C1-C4) アルキル-で置換され、- (C1-C4) アルキル-は任意でフェニール,-N (R8) C1-C6アルキル-,-C (O)-C1-C6 アルキル,-C1-C6 アルキル-C(O)-,-C (O) NR8-,-C (O) N (R8)-C1-C6アルキルと置換する、但しアルキルの部分は、任意でフェニール,-C (O) NRB,-NR8C (O)-,-C1-C6 アルキル- NR8-,-SO2N (R90)-C1-C4 アルキル-, 或は-NR8C (O)-と置換する、
但しR90は H, C1-C6アルキル, フェニール, 或は-C1-C4アルキル-フェニールで, 或は フェニール基は、任意で 1, 2 3,4, 或は 5 基に置換され、アルキル, アルコキシ, ハロゲン, ハロアルキル, CN, 或は ハロアルキルで単独である、次に
Z は不在、或はフェニールが任意で1,2,3.4, 或は 5 基で置換し、その基はC1-C4 アルキル, C1-C4 アルコキシ, ハロゲン, 或はヒドロオキシで単独である。